(57)【要約】【課題】  表示駆動回路の構成を簡易化し、かつ表示モード切換電圧の調整を容易にしたデュアルモード表示装置及び表示方法を提供する。【解決手段】  ディスプレイパネルの表示素子としてデュアルモード表示素子を用いる。また、デュアルモード表示素子をマトリクス駆動するディスプレイパネルのアドレス線駆動回路側において、アドレスラインの走査選択スイッチに縦続して表示モード切換手段を設ける。指令入力に応じて、この表示モード切換手段を制御して選択されたアドレスラインに接続される電位を切り換える。【選択図】  図２
2005214995.tif 000002
【特許請求の範囲】
【請求項１】
有機発光層及びキャリア輸送層の少なくとも一方に液晶層を含む有機エレクトロルミネッセンス素子と、パネル上において前記有機エレクトロルミネッセンス素子を挟持して互いに交叉して設けられた複数のアドレス線及びデータ線と、前記アドレス線の各々を駆動するアドレス線駆動回路と、タイミング信号に応じて前記データ線の各々を画像データに応じた階調電位で駆動するデータ線駆動回路と、を含むデュアルモード表示装置であって、
指令入力に応じてモード指定指令を生成するモード指定指令生成回路を含み、
前記アドレス線駆動回路は、前記アドレス線の各々にバイアス電位を供給し、かつ前記タイミング信号に応じて前記アドレス線を択一的に選択してこれに前記バイアス電位に代えて前記モード指定指令に応じた大きさの駆動電位を供給することを特徴とするデュアルモード表示装置。
【請求項２】
前記アドレス線駆動回路は、前記駆動電位を自在に調整し得ることを特徴とする請求項１に記載のデュアルモード表示装置。
【請求項３】
前記アドレス線駆動回路は、前記モード指定指令に応じて前記駆動電位を設定するモード指定スイッチと、前記タイミング信号に応じて前記駆動電位を前記アドレス線に択一的に供給する走査選択スイッチと、を含むことを特徴とする請求項１または請求項２に記載のデュアルモード表示装置。
【請求項４】
前記モード指定スイッチは、前記モード指定指令が液晶動作モード指定の場合に前記駆動電位を前記階調電位の基準電位とし、前記モード指定指令が有機エレクトロルミネッセンス動作モード指定の場合に前記駆動電位を前記階調電位に対して逆極性とすることを特徴とする請求項３に記載のデュアルモード表示装置。
【請求項５】
有機発光層及びキャリア輸送層の少なくとも一方に液晶層を含む有機エレクトロルミネッセンス素子と、パネル上において前記有機エレクトロルミネッセンス素子を挟持して互いに交叉して設けられた複数のアドレス線及びデータ線と、前記アドレス線の各々を駆動するアドレス線駆動回路と、タイミング信号に応じて前記データ線の各々を画像データに応じた階調電位で駆動するデータ線駆動回路と、を含む表示装置におけるデュアルモード表示方法であって、
指令入力に応じてモード指定指令を生成するステップと、
前記アドレス線の各々にバイアス電位を供給し、かつ前記タイミング信号に応じて前記アドレス線を択一的に選択してこれに前記バイアス電位に代えて前記モード指定指令に応じた大きさの駆動電位を供給するステップと、を含むことを特徴とするデュアルモード表示方法。
【発明の詳細な説明】
【技術分野】
【０００１】
本発明は、例えば、液晶と有機エレクトロルミネッセンス（以下、単に“有機ＥＬ”と称する）の両表示機能を有するデュアルモード表示素子を用いた表示装置及びその表示方法等に関する。
【背景技術】
【０００２】
表示素子に印加される電圧の値によって、液晶モードまたは有機ＥＬモードの何れかの表示モードを呈するデュアルモード表示素子が、特許文献１に示されている。
【０００３】
デュアルモード表示素子は、有機ＥＬ材料として知られているキャリア輸送材料や有機発光材料に、ネマチック液晶等の液晶材料を混合することにより、若しくはキャリア輸送層や有機発光層に液晶層を積層することにより生成される。デュアルモード表示素子の概略構造を図１に示す。同図からも明らかな如く、同素子は、通常の有機ＥＬ素子と同様に透明基板１１の上で透明電極１２に挟持されたキャリア輸送層１３及び有機発光層１４から構成されている。
【０００４】
キャリア輸送層１３が液晶機能を有する場合、キャリア輸送層１３は、ネマチック液晶層に低分子キャリア輸送材料を分散させた少なくとも１層の液晶層で形成され、有機発光層１４は、少なくとも１層のポリマー又は、低分子分散ポリマーで形成される。一方、有機発光層１４が液晶機能を有する場合、有機発光層１４は、ネマチック液晶層を含む少なくとも１層の有機発光材料で形成され、キャリア輸送層１３は、少なくとも１層のポリマー又は、低分子分散ポリマーで形成される。なお、キャリア輸送層１３及び有機発光層１４の双方に液晶層を設ける構造としても良い。
【０００５】
図１に示されるデュアルモード表示素子は、駆動電源１５によって印加される電圧に応じてその表示モードが変化する。即ち、素子への印加電圧が有機ＥＬ材料の発光開始電圧よりも低い場合は、印加電圧によってキャリア輸送層１３又は（及び）有機発光層１４に含まれる液晶層のコントラストが変化するので同素子は液晶機能を呈する。一方、印加電圧が発光開始電圧を超えると有機ＥＬ素子として自ら発光を開始するため、同素子は有機ＥＬ表示素子として機能する。このように、デュアルモード表示素子は、印加電圧によってその表示モードを自由に選択できるので、例えば、周囲の明るさや使用状況、あるいは省電力の必要に応じて表示モードの切り換えが望まれる携帯電話やＰＯＳ端末等のディスプレイ表示パネル用の表示素子として適するものである。
【特許文献１】特開２００２−２５７７９号公報
【発明の開示】
【発明が解決しようとする課題】
【０００６】
本発明が解決しようとする課題には、表示素子駆動回路の構成を簡易化し、かつ表示モード切換電圧の調整を容易にしたデュアルモード表示装置及び表示方法を提供することが一例として挙げられる。
【課題を解決するための手段】
【０００７】
請求項１に記載の発明は、有機発光層及びキャリア輸送層の少なくとも一方に液晶層を含む有機エレクトロルミネッセンス素子と、パネル上において前記有機エレクトロルミネッセンス素子を挟持して互いに交叉して設けられた複数のアドレス線及びデータ線と、前記アドレス線の各々を駆動するアドレス線駆動回路と、タイミング信号に応じて前記データ線の各々を画像データに応じた階調電位で駆動するデータ線駆動回路と、を含むデュアルモード表示装置であって、指令入力に応じてモード指定指令を生成するモード指定指令生成回路を含み、前記アドレス線駆動回路は、前記アドレス線の各々にバイアス電位を供給し、かつ前記タイミング信号に応じて前記アドレス線を択一的に選択してこれに前記バイアス電位に代えて前記モード指定指令に応じた大きさの駆動電位を供給することを特徴とする。
【０００８】
また、請求項５に記載の発明は、有機発光層及びキャリア輸送層の少なくとも一方に液晶層を含む有機エレクトロルミネッセンス素子と、パネル上において前記有機エレクトロルミネッセンス素子を挟持して互いに交叉して設けられた複数のアドレス線及びデータ線と、前記アドレス線の各々を駆動するアドレス線駆動回路と、タイミング信号に応じて前記データ線の各々を画像データに応じた階調電位で駆動するデータ線駆動回路と、を含む表示装置におけるデュアルモード表示方法であって、指令入力に応じてモード指定指令を生成するステップと、前記アドレス線の各々にバイアス電位を供給し、かつ前記タイミング信号に応じて前記アドレス線を択一的に選択してこれに前記バイアス電位に代えて前記モード指定指令に応じた大きさの駆動電位を供給するステップと、を含むことを特徴とする。
【発明を実施するための最良の形態】
【０００９】
【実施例】
【００１０】
本実施例によるデュアルモード表示素子を用いた表示装置の構成例を図２に示す。本実施例に基づく表示装置は、同図に示される如く、表示パネル１０、アドレス線群２０、データ線群３０、アドレス線駆動回路４０、データ線駆動回路５０、及びモード指定指令生成回路６０から構成されている。
【００１１】
表示パネル１０において、アドレス線群２０を構成する各々のアドレス線（Ａ１、Ａ２、Ａ３、…）と、データ線群３０を構成する各々のデータ線（Ｄ１、Ｄ２、Ｄ３、…）とは互いに交叉して敷設されている。そして、各交叉部毎に、アドレス線とデータ線の各々に接続されたデュアルモード表示素子１０ａが設けられている。
【００１２】
デュアルモード表示素子１０ａは、例えば、液晶表示機能を備えた有機ＥＬ材料であり、そのキャリア輸送層及び／又は有機発光層に液晶層を組み込むことによって液晶表示機能を有機ＥＬ素子に付与したものである。同素子は、アドレス線とデータ線によって印加される電圧値が所定の閾値以下であれば液晶表示機能を呈し、同閾値以上であれば有機ＥＬ表示機能を呈する。なお、本実施例では、この閾値電圧を５Ｖに想定しているが、本発明の実施がかかる事例に限定されるものでないことは言うまでもない。
【００１３】
一方、アドレス線群２０を構成する各々のアドレス線（Ａ１、Ａ２、Ａ３、…）はアドレス線駆動回路４０に、データ線群３０を構成する各データ線（Ｄ１、Ｄ２、Ｄ３、…）はデータ線駆動回路５０にそれぞれ接続されている。また、アドレス線駆動回路４０は各々のアドレス線毎に走査選択スイッチ４０ａ、及び表示モード切換スイッチ４０ｂを備えており、データ線駆動回路５０は各データ線毎に階調電位供給回路５０ａを備えている。
【００１４】
また、モード指定指令生成回路６０は、所定の指令入力に従って液晶表示モードか有機ＥＬ表示モードかを指定するモード切換信号を生成する回路である。
【００１５】
次に、図２に基づいて、本実施例による表示装置の動作を説明する。アドレス線駆動回路４０に接続されたアドレス線（Ａ１、Ａ２、Ａ３、…）の各々は、通常、スイッチ４０ａを介して＋５Ｖに接続されており、いわゆる非選択の状態となっている。表示動作が開始されると、図示せぬ制御回路から供給される走査選択信号によって、スイッチ４０ａが順次走査選択されて、選択されたスイッチ４０ａにおいてスイッチの切換えが為され、当該スイッチの接点が＋５Ｖ側からスイッチ４０ｂ側に切り換えられる。即ち、走査選択信号に従い、アドレス線群２０のうち１つのアドレス線が順次選択され、選択されたアドレス線は、スイッチ４０ａを介して＋５Ｖ側からスイッチ４０ｂ側に接続される。因みに、図２ではアドレス線Ａ２が選択されており、その他のアドレス線は非選択の状態になっている。
【００１６】
また、アドレス線駆動回路４０には、モード指定指令生成回路６０からモード切換信号が供給されており、同信号が液晶表示モードを指令する場合には、スイッチ４０ｂがアース電位側に切り換えられ、有機ＥＬ表示モードの場合は、同スイッチが−５Ｖ側に切り換えられる。図２では、モード指定指令生成回路６０から液晶表示モード指令が供給されているものと想定し、スイッチ４０ｂは、アース側に切り換えられている。
【００１７】
一方、データ線駆動回路５０には、所定のタイミングで図示せぬ制御回路から、１ライン分或いは１画面分、若しくは数画面分の画素データ信号が供給される。階調電位供給回路５０ａは、これに基づいて１ライン分の画素の輝度階調に応じた階調電位を０〜５Ｖの範囲で生成して、これを各々のデータ線（Ｄ１、Ｄ２、Ｄ３、…）に供給する。
【００１８】
すなわち、図２の表示装置では、アドレス線Ａ２が走査選択信号により選択されており、同ラインに接続されているデュアルモード表示素子１０ａのアドレス線側は、スイッチ４０ａ及びスイッチ４０ｂを介してアース電位に接続されている。一方、デュアルモード表示素子１０ａのデータ線側には、データ線駆動回路５０から各々のデータ線毎に重畳される画素の階調度に応じた階調電位が０〜５Ｖの範囲で印加されている。それ故、選択ラインＡ２に接続されているデュアルモード表示素子１０ａには、アース電位に対して０〜５Ｖの範囲で駆動電圧が印加されることになる。そして、かかる駆動電圧は、前述した表示モード弁別の閾値電圧（５Ｖ）よりも低いので、これらの素子は液晶表示モードとして機能する。
【００１９】
なお、アドレス線Ａ２以外の非選択ラインは、アドレス線駆動回路４０のスイッチ４０ａを介して、駆動電圧（０〜５Ｖ）の最大電位と等しい＋５Ｖに接続されているので、これらの非選択ラインに接続されているデュアルモード表示素子１０ａに駆動電流が流れることはなく、これらの素子が発光するおそれはない。
【００２０】
一方、モード指定指令生成回路６０からモード切換信号として、有機ＥＬ表示モードの指令が供給された場合は、アドレス線駆動回路４０のスイッチ４０ｂの接点がアース電位側から−５Ｖ側に切り換えられる。これによって、選択ラインＡ２に接続されたデュアルモード表示素子１０ａは、そのアドレス線側が−５Ｖの電位となり、そのデータ線側に０〜５Ｖの階調電位が印加されることになる。即ち、選択ラインＡ２に接続されたデュアルモード表示素子１０ａには、結果的に、
（０〜５）Ｖ−（−５）Ｖ＝（５〜１０）Ｖ
なる電位差が加わることになる。
【００２１】
つまり、選択ラインＡ２に接続されたデュアルモード表示素子１０ａは、表示モードの弁別閾値電位である５Ｖを超えた５〜１０Ｖの電圧で駆動されるため、同素子は有機ＥＬ表示モードとして機能する。
【００２２】
なお、有機ＥＬ表示モードの場合でも、Ａ２以外の非選択ラインについては、駆動電圧の最大値に等しい５Ｖの電位がアドレス線駆動回路４０のスイッチ４０ａを介して逆バイアスとして印加されているので、これらのラインに接続されているデュアルモード表示素子１０ａが発光することはない。
【００２３】
以上に説明したように、本実施例は、有機発光層及びキャリア輸送層の少なくとも一方に液晶層を含む有機エレクトロルミネッセンス素子１０ａと、パネル１０において前記有機エレクトロルミネッセンス素子を挟持して互いに交叉して設けられた複数のアドレス線群２０及びデータ線群３０と、前記アドレス線の各々を駆動するアドレス線駆動回路４０と、タイミング信号に応じて前記データ線の各々を画像データに応じた階調電位で駆動するデータ線駆動回路５０とを含むデュアルモード表示装置であって、データ線駆動回路５０は、データ線群３０に含まれるデータ線毎に該データ線に重畳される階調電位を供給する階調電位供給回路５０ａを含み、前記アドレス線駆動回路４０は、アドレス線群２０に含まれるアドレス線の各々に階調電位と同極性のバイアス電位を供給し、かつ走査信号に応じて前記アドレス線を択一的に選択してこれに前記バイアス電位に代えてモード指定指令に応じた駆動電位を供給する走査選択スイッチ４０ａと、表示モード切換スイッチ４０ｂと、を含むことを特徴とする。
【００２４】
したがって、本実施例によれば、表示モードに関わりなく、各々のデータ線には階調度に応じた０〜５Ｖの範囲の駆動電圧を一律に印加すれば良い。つまり、データ線駆動回路５０に含まれる階調電位供給回路５０ａ毎に表示モード切換スイッチを設ける必要がなく、データ線駆動回路５０の構成を簡略化できる。
【００２５】
一方、アドレス線駆動回路４０は、走査選択スイッチ４０ａと表示モード切換スイッチ４０ｂとの単なるスイッチ同士の従属接続回路のみであるので、容易に構成することができる。
【００２６】
さらに、表示装置に含まれる電源回路も、従来必要とされた１０Ｖの電圧が不要とされるので、その小型化及び小容量化を進めることができる。
【００２７】
また、デュアルモード表示素子が液晶表示モードから有機ＥＬ表示モードに切り替わる閾値電圧には、一般に、同素子の製造プロセスにおける各種パラメータの変動によってバラツキが生ずることが多い。このような場合に、本実施例では、アドレス線駆動回路４０の選択ラインにスイッチ４０ｂを介して供給される−５Ｖの電圧値を、例えば、アドレス線駆動回路４０に含まれる可変抵抗Ｒによって調整することにより容易に対応することが可能となる。
【図面の簡単な説明】
【００２８】
【図１】図１は、デュアルモード表示素子の概略構造を示す構成図である。
【図２】図２は、本発明によるデュアルモード表示素子を用いた表示装置の構成を示すブロック図である。
【符号の説明】
【００２９】
１０      表示パネル
１０ａ    デュアルモード表示素子
１１      透明基板
１２      透明電極
１３      キャリア輸送層
１４      有機発光層
１５      駆動電源
２０      アドレス線
３０      データ線
４０      アドレス線駆動回路
４０ａ    走査選択スイッチ
４０ｂ    表示モード切換スイッチ
５０      データ線駆動回路
５０ａ    階調電位供給回路
６０      モード指定指令生成回路
【図１】
2005214995.tif 000003
【図２】
2005214995.tif 000004